(57)【要約】      （修正有）【課題】老人が被る暗がりで足元の障害物や段差の見落としに起因する転倒、転落事故等杖使用者の事故防止と、従来の盲人用の杖に近い使用感を有し杖使用者の視認性向上に役立つ杖用照明具及びそれを用いた杖を提供する。【解決手段】ステップアップ回路を有する電池と光源２とＳＷとを有する本体１からなる杖用発光具であって、杖に本体１を固定するための装着具７Ａと、本体結合用のコネクターを介して本体１とＳＷとを結合させ、ＳＷを任意の位置に設ける事を特徴とする。【選択図】図１
0003193082.tif 000002
【実用新案登録請求の範囲】
【請求項１】
本体（１）と光源（２）とＳＷ（３）とステップアップ回路（５）を有する電池（４）からなる杖用発光具であって、
杖に本体（１）を固定するための装着具（７）と、本体結合用のコネクターを介して本体（１）とＳＷ（３）とを結合させ、ＳＷ（３）を任意の位置に設ける事を特徴とする杖用照明具。
【請求項２】
点滅型の光源（２）と発光体（２Ｄｍ）を有することを特徴とする請求項１記載の杖用照明具。
【請求項３】
本体（１）・装着具（７）は少なくとも一部が分割・開放されてから杖に結合することを特徴とする１または２に記載の杖用照明具。
【請求項４】
ＳＷ（３）に緊急対策用のＳＷ（３ｂ）とランプ（２L）とブザー（３ｑ）とを設けることを特徴とする請求項１〜３のいずれか一項に記載の杖用照明具。  
【請求項５】
請求項１〜４のいずれか一項に記載した杖用照明具を有する事を特徴とする杖。  
【考案の詳細な説明】
【技術分野】
【０００１】
本考案は、杖用照明具に関する。
【背景技術】
【０００２】
歩行時に杖を必要とする人達が遭遇する事故の内、暗がりで足元の障害物や段差の見落としに起因する転倒、転落事故の発生件数が多発しており、特に事故率が高い高齢者用の事故予防策として、杖使用者の存在確認と足元照明となる発光機能を備えた光る杖が求められている。
特許文献１では発光機能と転倒時の音声表示機を備えた杖（実公平７−９７８）が提唱されており、また特許文献２（特開２００２−２６２９１３）ではハンドル部から前方を照射する方式が提唱されている。
上記の光る杖は、光源の照度不足で見難い等の問題があり、後者もシャフト中心の３６０度の照明となるため杖の突き先位置確認用の照明としては不満があると言われている。
上記杖類が杖の突き先の安全確認を主な用途とすれば、杖を突くのに必要な比較的狭い
範囲を明るく照らす事ができる節電型の安価なものが求められている事に成る。
また、盲人用のステッキに視認性向上用の照明が付いたものも見かけない。
【０００３】
従来の光る杖は予め光る杖として設計、商品化されたものを購入するため高価な物であり、また、老人用のステッキやウォーキング用のストックから松葉杖他多品種の杖に後加工で光る杖化できる杖用の照明具、例えば杖の任意の位置に照明具を設けて発光機能の無い普通の杖を使い易い光る杖に出来る安価な照明具が求められていた。    
【先行技術文献】
【特許文献】
【０００４】
【特許文献１】実公平７−９７８
【特許文献２】特開２００２−２６２９１３
【特許文献３】特開２０１０−０６３８６８
【考案の概要】
【考案が解決しようとする課題】
【０００５】
本考案は、発光機能の無い普通の杖（以下、これを杖と言う。）に簡単に装着して杖使用者の視認性の向上と、杖の突き先の安全確認ができる省電力で明るく安価な杖用照明具の開発を課題とする。
【課題を解決するための手段】
【０００６】
上記課題を解決するため本考案は、杖に固定して本体を維持する為の分割・開放後結合する形の装着具と、光源と電池と発光回路を有する本体と、スイッチ（以下、これをＳＷと言う。）とを組合せて照明具と為し、杖の任意の位置に固定した装着具に本体を結合してＳＷを結線した照明具を任意の位置に装着する事により、使用者が使い易い光る杖化して使用者の視認性の向上と前記事故を予防し、さらに緊急表示機能も有する安価で節電型の杖用発光具を提供する。
【０００７】
杖用発光具は防水型が好ましい。
杖照明具は、単一素材で形成するのが好ましいが、複数素材を組合せてもよい。
杖用照明具には、樹脂材や硬質ゴム材等の使用が好ましいが、他の素材を用いてもよい。
装着具は、一体形が好ましいが、分割組立て形でもよい。
本体は、一体型が好ましいが、一部開閉型や分割型でもよい。  
杖用照明具は、電池交換可能型が好ましいが、交換が出来なくてもよい。
電池は、一次電池が好ましいが、二次電池を用いてもよい。
光源は、LEDが好ましいが、他の物でもよい。
【０００８】
光源は、単数使用が好ましいが複数使用してもよい。
光源には、カバーを付ける事が好ましいが、付けなくても良い。
光源のＬＥＤは、常時点灯するのが好ましいが、点滅させても良い。
光源には、発光体や導光体あるいは反射体を用いるのが好ましいが、用いなくてもよい。
点灯回路には、ステップアップ回路を用いるのが好ましいが、用いなくてもよい。
点灯回路には、電流帰還制御回路を用いるのが好ましいが、用いなくてもよい。
杖用照明具は、杖の任意の位置に設けるのが好ましい。
装着具、本体、ＳＷの杖への装着はクリップ止めが好ましいがベルト止めや面ファスナー止め等他の方法でも良い。
また、電線にはコネクターを用いて結線するのが好ましいが、用いなくとも良い。
【考案の効果】
【０００９】
本考案の杖用発光具は、使用中の杖を簡単な改造で光る杖化して、前方を明るく照らして杖突先の安全を確認すると共に杖使用者の視認性を向上して夜間や雨中に於ける不適当な場所への杖突きに起因する事故や衝突事故の予防効果を有する。
【図面の簡単な説明】
【００１０】
【図１】実施例１、杖用発光具１００の斜視図
【図２】図１ｗ−ｗ’の断面図
【図３】装着具７Ａの斜視図
【図４】ＳＷ３Ａの斜視図
【図５】実施例２、杖用発光具２００の斜視図
【図６】図５ｘ−ｘ’の断面図
【図７】ＳＷ３Ｂの斜視図
【図８】実施例３、杖用発光具３００の斜視図
【図９】図７ｙ−ｙ’の断面図
【図１０】図７の上面図
【図１１】装着具７Ｂの斜視図
【図１２】杖用発光具４００の本体断面図
【図１３】回路図
【考案を実施するための形態】
【００１１】
以下、図面を使って説明する。
図１は杖用照明具１００の斜視図、図２は図１ｗ−ｗ´の断面図、図３は螺合型装着具７Ａの斜視図、図４はＳＷ３Ａの斜視図である。
実施例１の杖用照明具１００は、螺合型の装着具７Ａと、ＬＥＤ光源２とステップアップ回路５と電池４Ｄを格納する電池ボックス４と止め具Ｔｔとコネクター１Ｃｍと輪形緩衝材４Ｒと雌ネジ部１ｎを備えた本体１と、コネクター３Ｃoと電線３ｗとクリップ３Ｋを有するＳＷ３Ａとにより概略構成する。
【００１２】
ＳＷ３Ａは、常用のＳＷ３ａと背後に設けたクリップ３Ｋと先端にコネクター３Ｃｏを備えた、柔軟性のある電線３Ｗを有するものである。
螺合型の装着具７Ａは、片側７Ａaの嵌合部７Ａａ１、７Ａａ２と、もう一方の片側７Ａｂの嵌合部７Ａｂ１、７Ａｂ２を嵌合して杖固定部を兼ねる貫通穴ＴＳＨを有する表面が先細り形の雄ネジ加工部７ｎ（以下、これを雄ネジ部という。）と為すもので、雄ネジ部７ｎに対応する本体１の先太形の雌ネジ加工部１ｎ（以下、これを雌ネジ部という。）と雄ネジ部７ｎを螺合することにより本体１が装着具７Ａを介して杖に装着される。
なお、図面未表示の７Ａａ３と４と７Ａｂ３と４の説明は省略した。
上記螺合は、杖に固定した装着具の雄ネジ部７ｎに本体１の雌ネジ部１ｎを螺合するが、装着具７Ａ上部の余裕部7yにより螺合が進むに従って雌ネジ部１ｎが雄ネジ部７ｎを圧迫して螺合を強化できるので螺合次第で照明具１００の杖への装着強度を調整できる。
本体１は、前部に設けた常灯ＬＥＤ光源２と後部に備えたＳＷ接続用のコネクター１Ｃｍと電池ボックス４と止め具Ｔｔを有するものであり、また電池ボックス４は、電池４Dとヒンジ４ｐを軸に開閉するステップアップ回路５を有する蓋４ｆとヒンジ４ｐの下方に横揺れ防止用の輪形緩衝材４Ｒとを有するものである。
【００１３】
電池交換は、装着具７Ａから本体を１螺外して杖ＴＳ内に収納した電池ボックス４を取出してヒンジ４ｐを軸に蓋４ｆを開閉して電池４Ｄを出し入れする。
ＳＷ３Ａは、後部のＣ字形のクリップ３Ｋと本体に結合するコネクター３Ｃｏを備えた
電線３ｗを有するものである。
装着具７Ａに螺合した本体１にＳＷ３Ａを結線して光る杖化した杖は、使用開始時にＳＷ3ａをＯＮしてＬＥＤ光源２を点灯した後、終了時にＳＷ３aのＯＦＦで消灯するまで点灯する（以下、これを常灯と言う。）ものだが、ステップアップ回路５により電池の消耗による輝度低下の影響を減らして安定した輝度を長持ちさせる。
【００１４】
なお、長さ調節機能を備えた杖であっても使用者が初めに定めた杖の長さを変えることは殆んど無いので後付け加工する本照明具１００の場合、例えばシャフト下方に装着した本体１と、任意の位置に取付けたＳＷ３Ａのコネクター３Ｃoと本体のコネクター１Ｃｍとを結合した結果生じる電線３ｗの余剰分は杖ＴＳに螺旋状に巻付ける等の調節後固定する。
上記杖用照明具１００は、杖の任意の位置に設けた本体１と任意の位置に設けたＳＷ３ＡのＳＷ３ａのＯＮでＬＥＤ光源２を常灯して前記視認性を向上すると共に、前方を明るく照らして前記事故を予防するものである。  
さらに杖用照明具１００に、緊急対策機構を有する下記ＳＷ３Ｂを用いても良い。
【００１５】
図５は杖用照明具２００の斜視図、図６は図５ｘ−ｘ´の断面図、図７はＳＷ３Ｂの斜視図である。
実施例２の杖用照明具２００は、下記用途に合せて本体１の一部を替えて本体２１としたもので、装着具７Ａと、点滅形のＬＥＤ光源２と止め具Ｔｔ１に収納する電池４Ｄを格納した電池ボックス４と反射シート２２Ｄｈ付きの発光体２Ｄｍと下側止め具Ｔｔ２と、下部に設けた三箇所の窓２１Ｍとコネクター１Ｃｍと雌ネジ部１ｎとを有する金属製の本体２１と、ＳＷ３Ｂとにより概略構成する。
杖用照明具２００は、下記ＳＷ３Ｂを用いたこと、点滅型のＬＥＤ光源２を用いてステップアップ回路５を省略した事と、発光体２Ｄｍを用いたこと、金属製本体２１使用により外形を変更したこと以外は装着具７Ａの使用等前記実施例との類似重複点が多いので類似、重複部分の説明を省略すると共に、重複部位の符号は共用する。
【００１６】
ＳＷ３Ｂは、ＳＷ３Ａに緊急対策用のＳＷ３ｂを追備してＳＷ３Ｂとしたもので、緊急時にＳＷ３ｂをＯＮして点滅型の赤色ＬＥＤを用いた緊急表示ランプ２Ｌを点滅させると共に緊急ブザー３ｑ（図示せず）を鳴らすものである。
先端に雌ネジ部１ｎを有する金属性の本体２１は、後部に設けたコネクター１Ｃｍと、電池４Ｄを格納した電池ボックス４を有する上側止め具Ｔｔ１と、半円形のＬＥＤ光源収納空間２２Ｄｅを有し反射シート２２Ｄｈを上下の平面に配した樹脂製の発光体２Ｄｍと、底側の中心部にタップＴｔ２ｔを設けて内部に空間２１Ｅを有する下側止め具Ｔｔ２とによる内部三段構造のものである。
【００１７】
本体２１との間に出し入れ可能な僅かな隙間（図示せず）を有する上側止め具Ｔｔ１は、上記隙間を利用してクリップ形開口部（図示せず）を有する電池ボックス４を出し入れする物で、電池交換は取り出した電池ボックス４の側面に設けた前記クリップ形型開口部から電池４Ｄを出し入れする。
電池ボックス４は、頭部に点滅型のＬＥＤ２光源を備え、側面中間部に電池交換用の前記開口部を有するもので上側止め具Ｔｔ１内に点滅型のＬＥＤ光源２を下にして格納する。
発光体２Ｄｍは、上面の中心に設けた半円形のＬＥＤ光源収納空間２２Ｄｅと上下の平面に反射シート２２Ｄｈを備えた樹脂製のもので、発光体２Ｄｍを介して点滅型ＬＥＤ光源２の点滅光を３箇所の発光窓２１Ｍから放射する。
また、本体２１の底面に接し内側の中心部にタップＴｔ２ｔを有する止め具Ｔｔ２は、本体２１の底面内側との間に空間２１Ｅを形成し、本体２１底面に設けたネジ穴２１ｔｈからタップＴｔ２ｔにネジ２１ｔｎで本体２１に固定する。
【００１８】
杖用照明具２００は、盲人が使う白杖に適したものである。
盲人の杖突行為は、杖突音と感触によって接地面の硬、軟や地形を感じ取ると言われることから、ゴムキャップを用いた盲人用の白杖も見かけるが、本実施例の杖用照明具２００は、世間で多く見かける金属シャフトを用いた白杖を想定して金属製の本体底部に設けた空間２１Ｅによって使用時の杖突音が従来の白杖と著しく違わない様にした物である。
従って、ゴム足や樹脂カバー付きの白杖を好まれる場合は、ネジ穴２１ｔｈに適合するネジ付きのゴム足や樹脂カバーを付けることが出来る。
上記により、杖用照明具２００を設けて発光機能を備えた白杖は、杖使用者の視認性を向上して前記事故を予防すると共に、緊急時にはＳＷ３Ｂの緊急対策ＳＷ３ｂをＯＮすれば緊急ブザー３ｑが鳴り緊急表示ランプ２Ｌが点滅して緊急事態を知らせて救助を求めることができる白杖になる。
なお杖用照明具２００は、前記発光回路５を有する常灯のＬＥＤ光源２を用いれば前実施例１の様な杖用の照明具に出来るが、この場合は杖先に過大な圧力が掛からない用途、例えば両手でストック（杖）を使う通称マウンテンウォーク等と呼ばれている健康維持歩行用の杖向きの緊急対策機構を有する照明具２００となる。
【００１９】
実施例３の杖用照明具３００は、嵌合型の装着具７Ｂと、本体３１と、ＳＷ３Ｂで構成する照明具で、図８は杖用照明具３００の斜視図、図９は図７ｙ−ｙ´の断面図、図１０は図８の上面図で有る。
実施例４の杖用照明具３００は、嵌合型の装着具７Ｂと、点滅型のＬＥＤ光源２とＬＥＤ光源の防水カバーを兼ねる発光体２Ｄｍと電池４Dを格納する電池ボックス４と開閉可能な本体後部３１Ｕを有し嵌合部となる貫通穴ＴＳＨＴとを備えた本体３１と、ＳＷ３Ｂにより概略構成する。
杖用照明具３００は、装着具７Ａを嵌合型にして装着具７Ｂとして用いたこと、本体後部に設けたヒンジ３１ｐを軸に開閉する構造と装着具７Ｂに嵌合する貫通穴ＴＳＨＴを有する本体３１にしたこと以外は前期実施例と類似重複点が多いので類似重複部分の説明を省略すると共に符号を共用する。
【００２０】
装着具７Ｂは、外面がテーパー嵌合部で内側に杖装着部を有する装着部７Ｂと、該７Ｂに対応するテーパー嵌合面となる本体１の貫通穴ＴＳＨＢを嵌合するもの、すなわち装着具７Ｂのテーパー嵌合部片側７Ｂａの凹凸嵌合部７Ｂａ１〜Ｂａ４と、もう一方の片側７Ｂｂの凹凸嵌合部７Ｂｂ１〜７Ｂｂ４とを嵌合した杖装着部を有する装着具７Ｂと、本体後部３１を閉じて形成する貫通穴ＴＨＳＴとを嵌合するものである。
例えば杖の任意の位置に両面テープ等で固定した装着具の片側７Ｂａに一方の片側７Ｂ
ｂを嵌合した装着具７Ｂと、本体３１の貫通穴ＴＳＨＳＴとを嵌合して本体３１を装着
するもので、装着具７Ｂのテーパー面と対応テーパー面となる本体３１の貫通穴ＴＳＨ
Ｔは、装着具７Ｂが杖に固定した状態で嵌合した本体３１を下方に移動するに従って締
付けられて嵌合が強化される。
【００２１】
本体３１は、前方上部に光源カバーを兼ねる発光体２Ｄｍと、ヒンジ３１ｐを軸に開閉する本体後部３１Ｕと、該３１Ｕを閉鎖して固定する止めネジ３１Ｂと、本体下部に螺合する電池ボックス４とを有するものである。
また電池ボックス４は、上側頭部に点滅形のＬＥＤ光源２を備え電池４Ｄを格納して螺合用のネジ部３４ｎを有するもので、電池交換は本体３１のネジ部３１ｎから螺外して抜き出した電池ボックス４のクリップ型電池挿入部の開口部（図示せず）から電池４を出し入れする。
上記により杖用発光具３００は、杖ＴＳに装着した装着具７Ｂに本体３１を嵌合後、ＳＷ３Ｂを装着して電線３ｗのコネクター３Ｃoを本体のコネクター１Ｃｍに結合するもので、分割・開放後結合する装着具７Ｂと本体の後部開閉機構によって杖装着に必要なゴム足を外す等の準備と手間を省いて簡単に装着できるようにしたものである。
上記により杖用発光具３００は、普通の白杖を簡単な改造で光る杖化できて、さらに本体３１とＳＷ３を任意の位置に装着結線後、ＳＷ３ａをＯＮして点滅型のＬＥＤ光源２の光を発光体２Ｄｍを介して前方と上側に多く放射するので対面歩行者の迷惑にならない任意の位置、すなわち白杖の比較的下方に装着することにより白杖使用者の視認性を向上して前記事故を予防すると共に、ＳＷ３Ｂによって緊急時の備えも有する盲人用の白杖に適した照明具である。
【００２２】
実施例４の杖用照明具４００は、前記照明具の本体３１の上下を逆転した形状のもので、図１０は、杖用照明具４００の本体中央部の断面図である。
杖用照明具４００は、装着部７ＢとＳＷ３Ｂとステップアップ回路５を備えた電池ボックスと常灯のＬＥＤ光源２と発光体２Ｄｍを有する本体４１により概略構成する。
杖用照明具４００は、前記実施例３の本体３１の上下を逆転して普通の杖用の照明具とするもので、前記３１の逆転使用によりテーパー方向が逆転した貫通穴ＴＳＨＴを有する本体４１と、常灯のＬＥＤ光源２とステップアップ回路５を備えた電池ボックス４を用いること以外は前記照明具３００と同様のものなので重複部の説明を省略すると共に符号を共用する。
杖用照明具４００は、上記により発光体２Ｄｍを介した常灯のＬＥＤ光源２の放射光が前方下側と前方に多く放射する特性を生かして杖用にしたもので、発光体２Ｄｍを介して放射したＬＥＤ光源２の光で前方と足元を照明して杖使用者の視認性向上と前記事故を予防すると共に、緊急時にはＳＷ３Ｂを用いた前記緊急対策機構によって緊急を知らせて救助を求めることができる。
また、前記装着具７Ｂと開閉可能な本体後部４１Ｕによって任意の位置に照明具４００を装着できて、操作し易い位置にスイッチ３が設けられる自由度を持った使い易い光る杖に改造する事が出来るものである。
なお杖用照明具４００は、老人向けの照明具となると共に前記両手でストック（杖）を使う通称マウンテンウォーク等と呼ばれている健康維持歩行用の杖に適したもので緊急表示機構を有するものである。
【産業上の利用可能性】
【００２３】
本考案は、安価で取付け簡単な本杖用発光具を普通の杖に後加工で取付けて光る杖化することにより、杖私用者の視認性を向上すると共に杖先を明るく照らして前記事故の予防すると共に緊急時に緊急信号発生機能を有する杖になるものである。
【符号の説明】
【００２４】
１００・・・実施例１の発光具
２００・・・実施例２の発光具
３００・・・実施例３の発光具
４００・・・実施例４の発光具
ＴＳ・・・・杖
ＴＳＨ・・・貫通穴（螺合用）
ＴＳＨＴ・・貫通穴（嵌合用）
Ｔｔ・・・止め具
７Ａ・・・螺合型装着具（総称）
７Ａａ・・装着具７Ａの片側
７Ａａ１と２・・・装着具７Ａの凸形嵌合部
７Ａｂ・・・装着具７Ａのもう一方の片側
７Ａｂ１と２・・・装着具７Ａｂの凹形嵌合部
７ｎ・・・・装着具の雄ネジ部（本体螺合用）
７Ｂ・・・・嵌合型装着具（総称）
７Ｂａ・・・装着具７Ｂの片側
７Ｂａ１〜４・・・装着具７Ｂの凹凸形嵌合部
７Ｂｂ・・・装着具７Ｂのもう一方の片側
７Ｂｂ１〜４・・・装着具７Ｂｂの凹凸形嵌合部
７ｙ・・・・７Ｂの余裕部
１・・・・実施例１の本体
１ｎ・・・本体の雌ネジ部
１Ｃｍ・・・本体側のコネクター
２・・・ＬＥＤ光源（常灯）
２Ｄｍ・・・発光体
２Ｌ・・・緊急表示ランプ（点滅型ＬＥＤ光源）
３Ａ・・・ＳＷの総称
３ａ・・・常用ＳＷ
３Ｂ・・・緊急表示機能付きＳＷの総称
３ｂ・・・緊急用のＳＷ
３ｑ・・・緊急ブザー（図示せず）
３Ｋ・・・ＳＷのクリップ
３Ｃｏ・・ＳＷ側のコネクター
３Ｗ・・・電線
４・・・・電池ボックス
４Ｄ・・・電池
４ｐ・・・ヒンジ
４Ｒ・・・輪形緩衝材
４ｆ・・・電池ボックスの蓋
５・・・・ステップアップ回路
２１・・・実施例２の本体（金属製）
２１Ｍ・・・窓（発光窓）
２１Ｅ・・・Ｔｔ２の空間
２１ｔｈ・・・本体底部のネジ穴
２１ｔｎ・・・止めネジ
Ｔｔ１・・・止め具
Ｔｔ２・・・下側止め具
Ｔｔ２ｔ・・下側止め具の内側のタップ
２２Ｄｅ・・・ＬＥＤ光源収納空間
２２Ｄｈ・・・反射シート
３１・・・・実施例３の本体
３１ｎ・・・電池ボックスのネジ部
３１Ｕ・・・本体後部（開閉型）
３１Ｂ・・・止めネジ
３１ｐ・・・本体後部開閉用のヒンジ
４１・・・・実施例４の本体
４１Ｕ・・・４１の本体後部
【図１】
0003193082.tif 000003
【図２】
0003193082.tif 000004
【図３】
0003193082.tif 000005
【図４】
0003193082.tif 000006
【図５】
0003193082.tif 000007
【図６】
0003193082.tif 000008
【図７】
0003193082.tif 000009
【図８】
0003193082.tif 000010
【図９】
0003193082.tif 000011
【図１０】
0003193082.tif 000012
【図１１】
0003193082.tif 000013
【図１２】
0003193082.tif 000014
【図１３】
0003193082.tif 000015
【手続補正書】
【提出日】平成26年7月11日(2014.7.11)
【手続補正１】
【補正対象書類名】実用新案登録請求の範囲
【補正対象項目名】全文
【補正方法】変更
【補正の内容】
【実用新案登録請求の範囲】
【請求項１】
ステップアップ回路（５）を有する電池（４）と光源（２）とＳＷ（３）とを有する本体（１）からなる杖用発光具であって、
杖に本体（１）を固定するための装着具（７）と、本体結合用のコネクターを介して本体（１）とＳＷ（３）とを結合させ、ＳＷ（３）を任意の位置に設ける事を特徴とする杖用照明具。
【請求項２】
点滅型の光源（２）と発光体（２Ｄｍ）を有することを特徴とする請求項１記載の杖用照明具。
【請求項３】
本体（１）・装着具（７）は少なくとも一部が分割・開放されてから杖に結合することを特徴とする１または２に記載の杖用照明具。
【請求項４】
ＳＷ（３）に緊急対策用のＳＷ（３ｂ）とランプ（２L）とブザー（３ｑ）とを設ける
ことを特徴とする請求項１〜３のいずれか一項に記載の杖用照明具。  
【請求項５】
請求項１〜４のいずれか一項に記載した杖用照明具を有する事を特徴とする杖。